(57)【要約】【課題】表示状態を変化させずに残像の発生を抑制する。【解決手段】本発明の一態様である表示装置は、複数の小画素から形成された副画素を複数有する表示部と、前記表示部を透過する光を前記表示部の背面から照射するバックライトと、１つの前記副画素を形成する複数の前記小画素の一部を駆動して残部を駆動しないか、または、１つの前記副画素を形成する複数の前記小画素をすべて駆動する駆動部と、前記駆動部が複数の前記小画素の一部を駆動して残部を駆動しない場合に前記バックライトの輝度を所定の値に制御し、前記駆動部が複数の前記小画素をすべて駆動する場合に前記バックライトの輝度を前記所定の値より低い値に制御するバックライト制御部とを備える。【選択図】図７
2019159196.tif 000002
【特許請求の範囲】
【請求項１】
複数の小画素から形成された副画素を複数有する表示部と、
前記表示部を透過する光を前記表示部の背面から照射するバックライトと、
１つの前記副画素を形成する複数の前記小画素の一部を駆動して残部を駆動しないか、または、１つの前記副画素を形成する複数の前記小画素をすべて駆動する駆動部と、
前記駆動部が複数の前記小画素の一部を駆動して残部を駆動しない場合に前記バックライトの輝度を所定の値に制御し、前記駆動部が複数の前記小画素をすべて駆動する場合に前記バックライトの輝度を前記所定の値より低い値に制御するバックライト制御部と
を備える表示装置。
【請求項２】
前記駆動部は、複数の前記小画素の一部を駆動して残部を駆動しない場合に、複数の前記小画素で同一の駆動状態が所定時間継続したとき、駆動する前記小画素と駆動しない前記小画素を入れ替える
請求項１に記載の表示装置。
【請求項３】
前記同一の駆動状態が、ほぼ同一の画像を表示する駆動状態である
請求項２に記載の表示装置。
【請求項４】
前記副画素が画素であり、前記画素が前記複数の小画素から形成されている
請求項１から３のいずれか１項に記載の表示装置。
【請求項５】
複数の小画素から形成された副画素を複数有する表示部と、
前記表示部を透過する光を前記表示部の背面から照射するバックライトと、
１つの前記副画素を形成する複数の前記小画素の一部を駆動して残部を駆動しないか、または、１つの前記副画素を形成する複数の前記小画素をすべて駆動する駆動部と
を用いて、
バックライト制御部によって、前記駆動部が複数の前記小画素の一部を駆動して残部を駆動しない場合に前記バックライトの輝度を所定の値に制御し、前記駆動部が複数の前記小画素をすべて駆動する場合に前記バックライトの輝度を前記所定の値より低い値に制御する
表示方法。
【発明の詳細な説明】
【技術分野】
【０００１】
本発明は、表示装置および表示方法に関する。
【背景技術】
【０００２】
液晶デバイスを使用した表示装置では、同じ画面を長時間表示すると画像を切り替えても元の画像が残る残像、焼き付き等の現象が発生する（例えば特許文献１）。液晶デバイスにおいては同じ画像を長時間表示することで液晶のイオン化などにより液晶分子に加わる電荷に偏りが生じると液晶が正しく制御できなくなり残像現象が発生する。これを防ぐには電荷の偏りが生じないように同じ画像を長時間表示しないように画像を定期的に切り替えるか、あるいは表示をオフするかなどの操作が必要となる。
【０００３】
特許文献１は、残像の発生を防止するため、表示面を複数の領域に分割し、一定時間表示が継続される毎に表示位置を交換する表示装置を示す。
【０００４】
また、特許文献２は、各画素を複数の副画素に分割して容量結合した表示装置において、結合容量を介して表示電圧が印加されるフローティング状態の画素電極を含む副画素での焼き付きの発生を抑制する構成を示す。
【先行技術文献】
【特許文献】
【０００５】
【特許文献１】特開平１１−１８８１５７号公報
【特許文献２】国際公開第２０１０／１４６７４７号
【発明の概要】
【発明が解決しようとする課題】
【０００６】
特許文献１に記載されているように、残像を防止するため画像自体を定期的に移動する構成では、画像位置が動いてしまうという課題がある。
【０００７】
また、特許文献２に記載されているように各画素を複数の副画素から構成する場合、例えば、駆動状態にする副画素と駆動状態にしない副画素とを切り替えながら画像を表示することで、焼き付きの発生を抑制することができると考えられる。しかしながら、この構成では、駆動している副画素と駆動していない副画素が存在するため、点灯している副画素の数が減り、通常の駆動状態との間で輝度差が発生し、使用者に違和感を覚えさせてしまうという課題がある。
【０００８】
本発明は、上記の事情に鑑みてなされたものであり、表示状態を変化させずに残像の発生を抑制することができる表示装置および表示方法を提供することを目的とする。
【課題を解決するための手段】
【０００９】
上記課題を解決するため、本発明の一態様は、複数の小画素から形成された副画素を複数有する表示部と、前記表示部を透過する光を前記表示部の背面から照射するバックライトと、１つの前記副画素を形成する複数の前記小画素の一部を駆動して残部を駆動しないか、または、１つの前記副画素を形成する複数の前記小画素をすべて駆動する駆動部と、前記駆動部が複数の前記小画素の一部を駆動して残部を駆動しない場合に前記バックライトの輝度を所定の値に制御し、前記駆動部が複数の前記小画素をすべて駆動する場合に前記バックライトの輝度を前記所定の値より低い値に制御するバックライト制御部とを備える表示装置である。
【００１０】
また、本発明の一態様は、複数の小画素から形成された副画素を複数有する表示部と、前記表示部を透過する光を前記表示部の背面から照射するバックライトと、１つの前記副画素を形成する複数の前記小画素の一部を駆動して残部を駆動しないか、または、１つの前記副画素を形成する複数の前記小画素をすべて駆動する駆動部とを用いて、バックライト制御部によって、前記駆動部が複数の前記小画素の一部を駆動して残部を駆動しない場合に前記バックライトの輝度を所定の値に制御し、前記駆動部が複数の前記小画素をすべて駆動する場合に前記バックライトの輝度を前記所定の値より低い値に制御する表示方法である。
【発明の効果】
【００１１】
本発明の各態様によれば、表示状態を変化させずに残像の発生を抑制することができる。
【図面の簡単な説明】
【００１２】
【図１】本発明の一実施形態に係る表示装置の構成例を示すブロック図である。
【図２】図１に示す表示部２の画素構造を示す模式図である。
【図３】図１に示す表示装置１の動作例を示すフローチャートである。
【図４】図１に示す表示装置１の動作例を示すフローチャートである。
【図５】図２に示す画素９の点灯状態の例を示す模式図である。
【図６】図２に示す画素９の点灯状態の例を示す模式図である。
【図７】本発明の一実施形態に係る表示装置の基本的構成例を示すブロック図である。
【発明を実施するための形態】
【００１３】
以下、図面を参照して本発明の一実施形態について説明する。図１は、本発明の一実施形態に係る表示装置１の構成例を示すブロック図である。図１に示す表示装置１は、表示部２と、駆動部３と、バックライト４と、表示部駆動制御部５と、バックライト制御部６と、表示装置制御部７を備える。表示装置１は、例えば外部から供給された画像データ８に応じて画像を表示する。また、本実施形態の表示装置１は、後述する残像防止モードと通常モードの２種類の駆動モードで表示部２およびバックライト４を駆動する。
【００１４】
表示部２は、液晶表示パネルであり、例えばアレイ状に配置された複数の画素を備える。ここで、図２を参照して、本実施形態における表示部２の画素構造について説明する。図２は、図１に示す表示部２が備える画素９の構造例を模式的に示す平面図である。図２に示す１つの画素９は、Ｒ（赤）Ｇ（緑）Ｂ（青）の各色に対応する３個の副画素９Ｒ、９Ｇおよび９Ｂから構成されている。表示部２は、ＲＧＢの各副画素９Ｒ、９Ｇおよび９Ｂを一組として構成された各画素９を縦横にそれぞれ複数配置して備える。たとえばＦＨＤ（Ｆｕｌｌ  Ｈｉｇｈ  Ｄｅｆｉｎｉｔｉｏｎ／１９２０×１０８０（解像度））の場合はこの画素９が横に１９２０、縦に１０８０並んでいる。
【００１５】
また、副画素９Ｒは、Ｒ色の４個の小画素Ｒ１１、Ｒ１２、Ｒ１３およびＲ１４から構成されている。この場合、４個の小画素Ｒ１１、Ｒ１２、Ｒ１３およびＲ１４は、副画素９Ｒを横２列および縦２列に４分割して構成する。４個の小画素Ｒ１１、Ｒ１２、Ｒ１３およびＲ１４には、駆動部３が備える駆動用の回路がそれぞれ接続されている。この場合、４個の小画素Ｒ１１、Ｒ１２、Ｒ１３およびＲ１４は、独立して制御可能である。ただし、４個の小画素Ｒ１１、Ｒ１２、Ｒ１３およびＲ１４は、例えば各２個の小画素Ｒ１１およびＲ１４と小画素Ｒ１２およびＲ１３毎に制御できるようにしてもよい。この場合、小画素Ｒ１１と小画素Ｒ１２には共通の駆動用の回路を接続し、小画素Ｒ１３と小画素１４には他の共通の駆動用の回路を接続することができる。また、副画素９Ｇは、副画素９Ｒと同様に、Ｇ色の４個の小画素Ｇ１１、Ｇ１２、Ｇ１３およびＧ１４から構成されている。また、副画素９Ｂは、副画素９Ｒと同様に、Ｂ色の４個の小画素Ｂ１１、Ｂ１２、Ｂ１３およびＢ１４から構成されている。
【００１６】
なお、図１に示す表示部２は、表示面側から順に、例えば、偏光板、カラーフィルタ基板、液晶層、アレイ基板、偏光板等を積層することで構成されている。ここで、アレイ基板は、アレイ状に配列されたＲＧＢの各色に対応する複数の小画素電極、各小画素電極に表示電圧を印加する複数のトランジスタ、各トランジスタや各小画素電極等に接続された複数の配線、配向膜等を備える。また、カラーフィルタ基板は、アレイ基板上の各副画素に対応するＲＧＢのカラーフィルタ、共通電極、配向膜等を備える。
【００１７】
駆動部３は、表示部駆動制御部５によって制御され、表示部２が備える複数のトランジスタの駆動状態や各トランジスタに印加する電圧等を制御することで、表示部２が備える各小画素Ｒ１１〜Ｒ１４、Ｇ１１〜Ｇ１４、Ｂ１１〜Ｂ１４へ印加される電圧等を制御する。
【００１８】
バックライト４は、例えば、ＬＥＤ（発光ダイオード）等の光源、導光板、拡散板、プリズムシート等を備え、表示部２の表示面の反対側の背面から光源が発した光を表示部２に対して照射する。バックライト４の光源が照射する光の強度は、バックライト制御部６によって制御される。
【００１９】
表示部駆動制御部５は、画像データ８に対して表示装置制御部７で所定の処理が行われた処理後の画像データを表示装置制御部７からうけて駆動部３を制御する。
【００２０】
バックライト制御部６は、表示装置制御部７の制御に従い、例えばバックライト４の光源に流れる電流を制御して、バックライト４が発する光の強度を制御する。
【００２１】
なお、本実施形態において表示装置１は、残像防止モードと通常モードの２種類の駆動モードで表示部２およびバックライト４を駆動する。残像防止モードでは、表示装置１は各副画素（副画素９Ｒを例とする）を構成する小画素Ｒ１１〜Ｒ１４の一部のみ（例えば半分）を駆動する。また、表示装置１は、例えば一定時間毎に、あるいは各画素９で同一の画像（画像データ）を所定時間を継続して表示した場合に、駆動する小画素Ｒ１１〜Ｒ１４を交代させる。また、表示装置１は、残像防止モードではバックライト４を全点灯状態で駆動する。ここで、全点灯状態とは、例えば輝度が最高となるような所定の輝度値での点灯状態である。一方、通常モードでは、表示装置１は各副画素（副画素９Ｒを例とする）を構成する小画素Ｒ１１〜Ｒ１４の全部を駆動する。また、表示装置１は、通常モードではバックライト４を、全点灯状態での所定の輝度値より低い、輝度値を制限した状態で駆動する。表示装置１は、表示部２での画像の表示輝度が、残像防止モードと通常モードでほぼ同一となるように、バックライト４の輝度を各モードにおいて制御する。
【００２２】
なお、残像防止モードと通常モードの設定は、例えば、ユーザの指示に応じて切り替えたり、表示装置制御部７等で画像データ８の内容に基づいて切り替えたりすることができる。
【００２３】
表示装置制御部７は、外部から画像データ８を入力し、入力した画像データ８に基づき、画像処理、駆動方式の切り替え制御、バックライト制御等を行う。
【００２４】
次に、図３から図６を参照して、図１および図２を参照して説明した表示装置１の動作例について説明する。図３および図４は、図１に示す表示装置１の動作例を示すフローチャートである。図５および図６は、図２に示す画素９の点灯状態の例を示す模式図である。なお、なお、副画素９Ｇおよび９Ｂならびに小画素Ｇ１１〜Ｇ１４およびＢ１１〜Ｂ１４は、副画素９Ｒおよび小画素Ｒ１１〜Ｒ１４と同様に駆動制御される。以下では、副画素９Ｒおよび小画素Ｒ１１〜Ｒ１４を例として説明を行い、副画素９Ｒおよび９Ｂならびに小画素Ｇ１１〜Ｇ１４およびＢ１１〜Ｂ１４については説明を適宜省略する。
【００２５】
表示装置１は、図３に示す処理を、例えば表示装置１が起動した場合に１回あるいは所定の時間毎に実行する。表示装置１が図３に示す処理を開始すると、まず、表示装置制御部７が、残像防止モードが選択されているか否かを判定する（ステップＳ１１）。残像防止モードが選択されている場合（ステップＳ１１で「Ｙｅｓ」の場合）、表示装置制御部７は各画素９を部分駆動するよう表示部駆動制御部５に指示を出す（ステップＳ１２）。各画素９の部分駆動とは、各画素９を構成する各副画素９Ｒ、９Ｇおよび９Ｂの各小画素Ｒ１１〜Ｒ１４、Ｇ１１〜１４およびＢ１１〜Ｂ１４の一部のみを駆動する（この例では２個の小画素に限定して駆動する）ことである。ステップＳ１２において、表示装置制御部７は、例えば図５に示すように、副画素９Ｒについて、４個の小画素Ｒ１１〜Ｒ１４のうち網掛けして示す小画素Ｒ１１と小画素Ｒ１４を駆動状態とし、白抜きで示す小画素Ｒ１２と小画素Ｒ１３を休止状態（非駆動状態）とするよう表示部駆動制御部５に設定する。この場合、駆動部３は、小画素Ｒ１１およびＲ１４のみ動作するよう駆動回路を制御する。つまり、小画素Ｒ１１およびＲ１４は同じ画像データで駆動され、残りの小画素Ｒ１２およびＲ１３は駆動されない休止状態となる。次に、表示装置制御部７はバックライト４を全点灯するようバックライト制御部６に指示を出す（ステップＳ１３）。
【００２６】
一方、通常モードが選択されている場合（ステップＳ１１で「Ｎｏ」の場合）、表示装置制御部７は各画素９を全画素駆動するよう表示部駆動制御部５に指示を出力する（ステップＳ１４）。各画素９の全画素駆動とは、各画素９を構成する各副画素９Ｒ、９Ｇおよび９Ｂの各小画素Ｒ１１〜Ｒ１４、Ｇ１１〜１４およびＢ１１〜Ｂ１４を全部駆動することである。ステップＳ１４において、表示装置制御部７は、例えば図２に示すように、副画素９Ｒについて、網掛けして示す４個の小画素Ｒ１１〜Ｒ１４の全部を駆動状態とするよう表示部駆動制御部５に設定する。次に、表示装置制御部７はバックライト４を、輝度を制限して点灯するようバックライト制御部６に指示を出す（ステップＳ１５）。ステップＳ１５において、表示装置制御部７は、例えば、図５に示す部分駆動での表示輝度と、図２に示す全画素駆動での表示輝度が等しくなるようにバックライト４の輝度を制限する。
【００２７】
以上の処理の後、表示部駆動制御部５は、部分駆動または全画素駆動で各画素９を制御する。また、バックライト制御部６は、全点灯で、または輝度を制限して、バックライト４を点灯する。
【００２８】
また、残像防止モードが選択されている場合、表示装置制御部７は図４に示す処理を実行する。表示装置１が図４に示す処理を開始すると、表示装置制御部７は、駆動状態に設定されている小画素Ｒ１１〜Ｒ１４、Ｇ１１〜１４およびＢ１１〜Ｂ１４の一部の駆動時間を測定する（ステップＳ２１）。例えば、図５に示すように、副画素９Ｒで小画素Ｒ１１と小画素Ｒ１４が駆動状態に設定されている場合、ステップＳ２１で表示装置制御部７は、小画素Ｒ１１と小画素Ｒ１４が駆動状態に設定されてから現在時刻までの時間を計測する。あるいは、ステップＳ２１において、表示装置制御部７は、画素９毎に、ほぼ同じ（一定の範囲内の変化しかない）画像データを表示している場合の継続時間を計測する。この場合、ステップＳ２１の計測時間は、複数の画素においてほぼ同じ画像データを継続表示している時間の最大値とすることができる。次に、表示装置制御部７は、ステップＳ２１で計測した時間が、予め設定した時間を超えるか否かを判定する（ステップＳ２２）。
【００２９】
設定した時間を超えていた場合（ステップＳ２２で「Ｙｅｓ」の場合）、表示装置制御部７は、表示部駆動制御部５に駆動状態とする小画素の切り替えを指示する（ステップＳ２３）。例えば、図５に示すように、副画素９Ｒで小画素Ｒ１１と小画素Ｒ１４が駆動状態に設定されている場合に、ステップＳ２３で表示装置制御部７が駆動状態とする小画素の切り替えを表示部駆動制御部５に対して指示したとき、表示部駆動制御部５は次のように駆動する小画素を切り替える。すなわち、表示部駆動制御部５は、図６に示すように小画素Ｒ１１と小画素Ｒ１４を休止状態とし、小画素Ｒ１２と小画素Ｒ１３を駆動状態に設定する。
【００３０】
一方、設定した時間を超えていない場合（ステップＳ２２で「Ｎｏ」の場合）、表示装置制御部７は、小画素の駆動状態の設定を維持する（ステップＳ２４）。
【００３１】
ステップＳ２３またはステップＳ２４の処理を実行した後、表示装置制御部７は、ステップＳ２２で判定される設定時間より短い所定の時間だけ待機した後、ステップＳ２１の処理を再度実行する。
【００３２】
以上のように、表示装置１は、残像防止モードが選択された場合は、例えば副画素９Ｒについて、副画素９Ｒを構成する小画素Ｒ１１、Ｒ１２、Ｒ１３、およびＲ１４のうち、図５に示すように、小画素Ｒ１１と小画素Ｒ１４を同じ画像データで駆動し、残りの小画素Ｒ１２と小画素Ｒ１３は駆動しない休止状態とする。また、表示装置１は、残像防止モードが選択された場合は、画素９の分割駆動による輝度の低下を低減するためバックライト４を全点灯し必要な明るさを実現する。また、表示装置制御部７は、例えば小画素Ｒ１１と小画素Ｒ１４が点灯した期間を監視し、駆動状態となる期間が規定の設定時間を経過すると自動的に駆動する小画素を変更して、図６に示すように、小画素Ｒ１２と小画素Ｒ１３を同じ画像データで駆動し、残りの小画素Ｒ１１と小画素Ｒ１４は駆動しない休止状態とする。
【００３３】
一方で表示装置制御部７によって通常モードが選択された場合は４つの小画素Ｒ１１、Ｒ１２、Ｒ１３、およびＲ１４は全て同時に駆動する。この場合は残像防止モードと同等の輝度がでるようにバックライト４の明るさは制限される。
【００３４】
以上のように、表示装置１では、残像防止モードにおいて、同じ画素９内で駆動状態または非駆動状態が切り替えられる。このため、表示画像の位置の移動は発生しない。また、同じ画像を長時間表示していても画像位置移動や輝度の低下を引き起こすことなく残像の発生を防止することができる。また、残像の発生を防止するため一部の小画素を休止状態とする場合に、同時にバックライト４の明るさが制御されるので、明るさを維持することができる。
【００３５】
なお、上記実施形態では、各副画素９Ｒ、９Ｇおよび９Ｂを各４個の小画素Ｒ１１〜Ｒ１４、Ｇ１１〜１４およびＢ１１〜Ｂ１４から構成しているが、各副画素を構成する小画素の個数は４に限定されず、２以上の複数であればよい。すなわち、本発明の実施形態では、各ＲＧＢの副画素９Ｒ、９Ｇおよび９Ｂは、小画素にｎ分割（ｎは２以上の整数）された構造とし、各小画素が例えば独立して制御される構造とされる。つまり、本発明の実施形態では、Ｒの副画素がｎ分割、Ｇの副画素がｎ分割、Ｂの副画素がｎ分割されており、ｎ個の小画素で一つの副画素を形成することができる。また本発明の実施形態では、各副画素をｎ分割する各小画素それぞれが例えば独立して制御できるように駆動回路がそれぞれに接続された構成としている。また、駆動状態にする小画素と非駆動状態にする小画素の組み合わせは、図５および図６に示したように列および行で互い違いとしてもよいし、例えば、列あるいは行単位としてもよい（例えば小画素Ｒ１１と小画素Ｒ１３を同じ状態で駆動し、小画素Ｒ１２と小画素Ｒ１４を他の同じ状態で駆動してもよい）。
【００３６】
また、上述したようにして、本発明の実施形態は、４分割した小画素を全て点灯する通常駆動モードと２つの小画素ごとに駆動を切り替える残像防止駆動モードを備え、用途により駆動方式を切り替えることができる機能を持つ。ただし、残像防止駆動モードにおいては通常駆動モードと比較して表示している小画素が半分になるため明るさが半分になってしまう。この課題を解決するため表示装置１は、通常駆動モード時においては自動でバックライト４の明るさを制限し残像防止モードと通常駆動モードで同じ明るさを保つように動作する。
【００３７】
上述した副画素が４つに分割された例では、残像を防止するため、一部の小画素に負荷が集中しないように、副画素の駆動は例えばＲの副画素のうち４分割分の半分の２つの小画素が駆動され画像を表示する。一方でＲの画素の残りの２つの小画素は駆動しない状態に保たれる。その際、表示装置制御部７は、上述したように、駆動状態とした小画素が規定の時間、継続して駆動状態とされた場合に、その小画素の駆動を停止し、駆動していなかった別の小画素を駆動する。あるいは、表示装置制御部７は、小画素が点灯した画像（画像データ）と時間を観測し、規定の時間、ほぼ同じ画像での駆動が続いた場合に駆動していた小画素の駆動を停止し、駆動していかなかった別の小画素を駆動する。この場合、表示装置制御部７は、例えば、画素値が所定の設定時間を超えて一定の範囲内で変化しない画素または副画素が検知された場合に、駆動状態とする小画素の切り替えを実行する。この構成によって、特定の小画素による同じ画像の連続駆動が低減でき残像や焼き付きの現象を防止することができる。その際、本方式では同じ副画素内で駆動している小画素を切り替えるため、表示している画像の移動は視聴者に認識されないレベルとすることができる。
【００３８】
以上、この発明の実施形態を図面を参照して詳述してきたが、具体的な構成はこの実施形態に限られるものではなく、この発明の要旨を逸脱しない範囲の設計等も含まれる。例えば、各画素を構成する複数の副画素の構成は、上記のようにＲＧＢの各色の副画素で１つの画素を構成する場合に限定されない。例えば、各画素は、赤・緑・青・黄の４色や赤・緑・青・白の４色の副画素から構成してもよい。あるいは、各画素は、赤２個、緑４個および青２個や、赤２個、緑２個、青２個および白２個の８個の副画素から構成してもよい。なお、モノクロの場合の各画素は、カラー表示の場合の副画素に対応する。したがって、モノクロの場合の各画素は複数の小画素から構成される。また、本発明の実施形態は、図１に示す構成に限らず、例えば次のように変形することができる。すなわち、図１に示す表示部駆動制御部５、バックライト制御部６および表示装置制御部７の一部または全部を同一の制御部として構成したり、表示部２と駆動部３やバックライト４の一部または全部を一体的に構成したりすることができる。  
【００３９】
次に、図７を参照して、本発明の実施形態の基本的構成例について説明する。図７は、本発明の一実施形態に係る表示装置１０の基本的構成例を示すブロック図である。図７に示す表示装置１０は、表示部１１と、バックライト１２と、駆動部１３と、バックライト制御部１４を備える。表示部１１は、複数の小画素１０１から形成された副画素１００を複数有する。バックライト１２は、表示部１１を透過する光を表示部１１の背面から照射する。駆動部１３は、１つの副画素１００を形成する複数の小画素１０１の一部を駆動して残部を駆動しないか、または、１つの副画素１００を形成する複数の小画素１０１をすべて駆動する。バックライト制御部１４は、駆動部１３が複数の小画素１０１の一部を駆動して残部を駆動しない場合にバックライト１２の輝度を所定の値に制御し、駆動部１３が複数の小画素１０１をすべて駆動する場合にバックライト１２の輝度を所定の値より低い値に制御する。
【００４０】
本実施形態によれば、表示状態を変化させずに残像の発生を抑制することができる。
【００４１】
なお、駆動部１３は、複数の小画素１０１の一部を駆動して残部を駆動しない場合に、複数の小画素１０１で同一の駆動状態が所定時間継続したとき、駆動する小画素１０１と駆動しない小画素１０１を入れ替えるようにしてもよい。また、同一の駆動状態は、ほぼ同一の画像を表示する駆動状態とすることができる。また、副画素１００を複数の副画素から構成される画素として、その画素が複数の小画素１０１から形成されていてもよい。
【００４２】
また、図１および図２に示す構成と図７に示す構成との対応は次のとおりである。すなわち、図１に示す表示装置１は、図７に示すに表示装置１０に対応する。図１に示す表示部２は、図７に示す表示部１１に対応する。図１に示す駆動部３あるいは駆動部３と表示部駆動制御部５を組み合わせた構成は、図７に示す駆動部１３に対応する。図１に示すバックライト４は、図７に示すバックライト１２に対応する。図１に示すバックライト制御部６は、図７に示すバックライト制御部１４に対応する。図２に示す副画素９Ｒ、９Ｇおよび９Ｂあるいは図２に示す画素９は、図７に示す副画素１００に対応する。図２に示す小画素Ｒ１１〜Ｒ１４、Ｇ１１〜Ｇ１４、Ｂ１１〜Ｂ１４は、図７に示す小画素１０１に対応する。
【符号の説明】
【００４３】
１、１０  表示装置、２、１１  表示部、３、１３  駆動部、４、１２  バックライト、５  表示部駆動制御部、６、１４  バックライト制御部、７  表示装置制御部、９  画素、９Ｒ、９Ｇ、９Ｂ、１００  副画素、Ｒ１１〜Ｒ１４、Ｇ１１〜Ｇ１４、Ｂ１１〜Ｂ１４、１０１  小画素、
【図１】
2019159196.tif 000003
【図２】
2019159196.tif 000004
【図３】
2019159196.tif 000005
【図４】
2019159196.tif 000006
【図５】
2019159196.tif 000007
【図６】
2019159196.tif 000008
【図７】
2019159196.tif 000009